(57)【要約】      （修正有）【課題】径が異なる筆記具にも対応することができ、筆記具の先端側に取り付けて使用した際に持ち易く且つ書き易く、さらには安定且つ確実に筆記具に取り付けることができる、筆記具用照明器具を提供する。【解決手段】発光体，スイッチおよび交換可能なバッテリーとを一列に配列して本体に内蔵し、該本体の長手方向の両側下端部において、バネ機能を有した２枚の円弧状の挟持片を内側に向き合わせて一体成型し、これにより形成される開口部と前記バネ機能を有した２枚の円弧状の挟持片にて成る挟持部を前記本体に具備して構成する。【選択図】図１
0003143982.tif 000002
【実用新案登録請求の範囲】
【請求項１】
発光体，スイッチおよび交換可能なバッテリーとを一列に配列して本体に内蔵し、該本体の長手方向の両側下端部において、バネ機能を有した２枚の円弧状の挟持片を内側に向き合わせて一体成型し、これにより形成される開口部と前記バネ機能を有した２枚の円弧状の挟持片にて成る挟持部を前記本体に具備して構成したことを特徴とする、筆記具用照明器具。
【考案の詳細な説明】
【技術分野】
【０００１】  本考案は、ボールペン，シャープペンシル，鉛筆等の筆記具に取り付けて使用し、該筆記具の先端部と紙面とを照明して夜間や暗い場所においても筆記を行うことを可能にする、筆記具用照明器具に関するものである。
【背景技術】
【０００２】  従来、屋外等における夜間や暗い場所において筆記を行おうとする場合、懐中電灯等の照明器具を用いたり、照明のある場所に移動するなどして不便を強いられていた。【０００３】  上記問題点を解決すべく、電球やＬＥＤ等の光源を筆記具の本体内に内蔵し、または筆記具の先端部に装着し、該筆記具の先端部と紙面とを照明することを目的とした特許文献が数多くある。例えば、実用新案登録第３０２５８２２号公報（考案の名称：照明付き筆記用具）では、筆記具を挿入する筆記具ケースにスイッチを取り付けて保持具を嵌め、一端に半固定抵抗を有する電池ケースを設け、他端にＬＥＤランプを取り付け、係止部で前記筆記具を保持して使用することを特徴とした筆記具用照明器具について記載され、特開平０６−３２５６０１号公報（発明の名称：筆記用ペン先照明器具）では、本体の中心に、筆記具が通り抜けられる通路を設け、先端側に光源を入れ、後端側に電池を入れ、さらに本体カバーを装着させ、前記通路内に筆記具を挿入して使用することを特徴とした筆記具用照明器具について記載されている。【０００４】
【特許文献１】実用新案登録第３０２５８２２号
【特許文献２】特開平０６−３２５６０１
【考案の開示】
【考案が解決しようとする課題】
【０００５】  上記実用新案登録第３０２５８２２号公報に記載の筆記具用照明器具は、筆記具ケース内に筆記具を入れて係止部で保持するタイプであり、該筆記具ケースの挿入口の径が一定であるため、対応できる筆記具が限定されてしまうという問題点があった。また、筆記具ケースの後端部に電池ケースを設けて電池を入れる構造のため、筆記具の後端部の重量が重くなると共に全体の長さが長くなり、筆記具の後端側に重心が移って書き難くなってしまうという問題点があった。【０００６】  また、上記特開平０６−３２５６０１号公報に記載の筆記具用照明器具は、本体内に設けた通路に筆記具を挿入して使用する円筒形状のタイプであり、該円筒形の径が筆記具の径に比べて非常に太いため、当該筆記具の先端部に取り付けて使用する際に持ち難く且つ書き難いという問題点があった。また、前記通路の内部に設けた弾性材料と筆記具との接触が確実に得られるものではなく、筆記具と本体との固定が不安定になるおそれがあるという問題点もあった。【０００７】  本考案は、上記従来例の問題点を解決するために成されたものであり、径が異なる筆記具にも対応することができ、筆記具の先端側に取り付けて使用した際に持ち易く且つ書き易く、さらには安定且つ確実に筆記具に取り付けることができる、筆記具用照明器具を提供することを目的とする。
【課題を解決するための手段】
【０００８】  上記課題を解決するため、本考案の筆記具用照明器具は、発光体，スイッチおよび交換可能なバッテリーとを一列に配列して本体に内蔵し、該本体の長手方向の両側下端部において、バネ機能を有した２枚の円弧状の挟持片を内側に向き合わせて一体成型し、これにより形成される開口部と前記バネ機能を有した２枚の円弧状の挟持片にて成る挟持部を前記本体に具備して構成する。
【考案の効果】
【０００９】  本考案の筆記具用照明器具を筆記具に取り付けて使用すれば、バネ機能を有した２枚の円弧状の挟持片により、径の異なるあらゆる筆記具にも対応することができ、安定且つ確実に筆記具に取り付けることができるという効果を奏する。さらに、前記円弧状の挟持片の厚みも薄いため、筆記具の先端側に取り付けて使用した際に持ち易く且つ書き易く使用することができるという絶大なる効果を奏する。
【考案を実施するための最良の形態】
【００１０】  本考案を実施するための最良の形態を図を用いて説明する。【００１１】  図１は本考案の筆記具用照明器具の外形図であり、（ａ）は正面図、（ｂ）は右側面図である。また、図２は図１におけるＡ−Ａ断面図であり、（ａ）はバッテリーとして小型のボタン電池を２個使用し、（ｂ）はバッテリーとして電気浮き用の電池を１個使用している状態を示している。該図に示すように、本考案の筆記具用照明器具１は、発光体７，スイッチ９および交換可能なバッテリー１１とを一列に配列して本体２に内蔵し、該本体２の長手方向の両側下端部において、バネ機能を有した２枚の円弧状の挟持片３，３を内側に向き合わせて一体成型し、これにより形成される開口部４と前記バネ機能を有した２枚の円弧状の挟持片３，３にて成る挟持部５を前記本体２に具備して構成する。なお、図１および図２は前記構成を示すための一実施例図であり、前記構成要素を具備していれば、該実施例の外形及び構造に係らず全て本考案の範疇に含むものである。【００１２】  上記本体２および挟持片３，３の材料は合成樹脂が好ましく、特に挟持片３，３にあっては、その弾性力によるバネ機能により、筆記具を強固に保持できるものが好ましい。また、前記挟持片３，３の内面および外面には、筆記具との保持をより強固にすると共に使用時においてより持ち易く且つ書き易くするための滑り止め処理加工を施すのが好ましい。【００１３】  上記発光体７は、白色ＬＥＤが消費電力および発光色の点において好ましい。また、発光体７から発光される光を効率よく前方に集めるため、本体２の先端部において反射部６を形成し、該反射部６の後方に発光体７を配置するのが好ましい。【００１４】  上記スイッチ９は、突起部１０を前後にスライドさせることにより回路をＯＮ／ＯＦＦすることができるスライドスイッチとして図示したが、これに限定することなく他のタイプのスイッチを使用しても構わない。【００１５】  また、上記バッテリー１１は、現時点においてはリチウムイオン電池が好ましいが、これに限定することなく他のタイプのバッテリーを使用しても構わない。さらに、電圧低下時においてはバッテリー１１を交換する必要があるため、本体２の後端部において蓋１２を脱着することにより交換可能とする。【００１６】  次に、図３は本考案の筆記具用照明器具の回路図例であり、ＬＥＤで図示した発光体７と電流制限素子８とスイッチ９とバッテリー１１とを直列接続している。前記電流制限素子８は、一般的には固定抵抗器を使用するが、電流制限機能を有した半導体等であっても構わない。【００１７】  また、図４は本考案の筆記具用照明器具を取り付けた筆記具の斜視図であり、筆記具１３の先端側において本体２の下端部に具備された挟持部５により筆記具用照明器具１を当該筆記具１３に強固に保持して安定且つ確実に取り付けられた状態を示している。ここで、スイッチ９の突起部１０をスライドさせてＯＮにすることにより、発光体７が発光し、反射部６にて照明光１４が効率よく前方に照らされることになる。また、挟持部５を構成する円弧状の挟持片３の厚みは薄いため、持ち易く且つ書き易く使用することができることになる。
【産業上の利用可能性】
【００１８】  上記説明では夜間や暗い場所においても筆記が行える筆記具用照明器具として説明したが、挟持体の形状や間隔を変えることにより工具類等に取り付けて使用することもできる。また、単なる照明器具としてペンライトの代わりに使用したり、ロッドの先端に取り付けてレーザーポインターの代わりに使用しても構わないものである。
【図面の簡単な説明】
【００１９】
【図１】本考案の筆記具用照明器具の外形図である。
【図２】図１におけるＡ−Ａ断面図である。
【図３】本考案の筆記具用照明器具の回路図例である。
【図４】本考案の筆記具用照明器具を取り付けた筆記具の斜視図である。
【符号の説明】
【００２０】    １  筆記具用照明器具
２  本体
３  挟持片
４  開口部
５  挟持部
６  反射部
７  発光体
８  電流制限素子
９  スイッチ
１０  突起部
１１  バッテリー
１２  蓋
１３  筆記具
１４  照明光
【図１】
0003143982.tif 000003
【図２】
0003143982.tif 000004
【図３】
0003143982.tif 000005
【図４】
0003143982.tif 000006